【手続補正書】
【提出日】平成20年3月24日(2008.3.24)
【手続補正１】
【補正対象書類名】特許請求の範囲
【補正対象項目名】全文
【補正方法】変更
【補正の内容】
【特許請求の範囲】
【請求項１】
インクフィルタアセンブリであって、
該インクフィルタアセンブリは、
該インクフィルタアセンブリの第１の端部に配置された第１の流入チャネルであって、インクの第１の流れを、第１の細長チャンバに向かう第１の方向に導くように構成された第１の流入チャネルと、
該インクの第１の流れを該第１の細長チャンバからインクノズルアセンブリへ導くように構成された第１の流出チャネルと、
該第１の細長チャンバであって、該第１の流入チャネルから該第１の流出チャネルへ延びている第１の細長チャンバと、
該第１の細長チャンバの上部セクションと該第１の細長チャンバの下部セクションとの間において浸透可能分離帯を提供する第１の膜であって、該第１の膜は、該第１の細長チャンバの長手方向軸とほぼ平行に向けられ、該インクの第１の流れが該第１の膜を通過する、第１の膜と、
該インクフィルタアセンブリの第２の対向端部に配置された第２の流入チャネルであって、インクの第２の流れを、第２の細長チャンバに向かう第２の反対方向に導くように構成された第２の流入チャネルと、
該インクの第２の流れを該第２の細長チャンバから該インクノズルアセンブリへ導くように構成された第２の流出チャネルと
該第２の細長チャンバであって、該第２の流入チャネルから該第２の流出チャネルへ延びている第２の細長チャンバと、
該第２の細長チャンバの上部セクションと該第２の細長チャンバの下部セクションとの間において浸透可能分離帯を提供する第２の膜であって、該第２の膜は、該第２の細長チャンバの長手方向軸とほぼ平行に向けられ、該インクの第２の流れが該第２の膜を通過する、第２の膜と
を備え、
該インクフィルタアセンブリは、該第１の細長チャンバと該第２の細長チャンバとが、該インクノズルアセンブリを含むプリントヘッドハウジングの真上に位置し、かつ、該第１の細長チャンバおよび該第２の細長チャンバの長手方向軸が、該プリントヘッドハウジングの長手方向軸と、該インクノズルアセンブリに含まれる複数のノズルを備える行とに実質的に平行になるように、該プリントヘッドハウジングに直接取りつけられるように構成される、インクフィルタアセンブリ。
【請求項２】
単一の膜が前記第１の膜および前記第２の膜を備える、請求項１に記載のアセンブリ。
【請求項３】
インクフィルタアセンブリであって、
該インクフィルタアセンブリは、
インクの第１の流れを、第１の細長チャンバに向かう第１の方向に導くように構成された第１の流入チャネルと、
該第１の細長チャンバの上部セクションであって、該第１の流入チャネルから第１の流出チャネルへ延びている上部セクションと、
インクの第２の流れを、第２の細長チャンバに向かう第２の反対方向に導くように構成された第２の流入チャネルと、
該第２の細長チャンバの上部セクションであって、該第２の流入チャネルから第２の流出チャネルへ延びている上部セクションと
を含む上部部分と、
該第１の流出チャネルであって、該インクの第１の流れを該第１の細長チャンバから受け取り、該インクの第１の流れをインクノズルアセンブリへ導くように構成された第１の流出チャネルと、
該第１の細長チャンバの下部セクションであって、該第１の流入チャネルから該第１の流出チャネルへ延びている下部セクションと、
該第２の流出チャネルであって、該インクの第２の流れを該第２の細長チャンバから受け取り、該インクの第２の流れをインクノズルアセンブリへ導くように構成された第２の流出チャネルと、
該第２の細長チャンバの下部セクションであって、該第２の流入チャネルから該第２の流出チャネルへ延びている下部セクションと
を含む下部部分と、
該アセンブリの該上部部分と該下部部分との間に配置された膜であって、該膜は、該第１の細長チャンバおよび該第２の細長チャンバの長手方向軸とほぼ平行に向けられ、該膜は、該第１および第２の細長チャンバの上部セクションと該下部セクションとの間において浸透可能分離帯を提供し、該インクの第１および第２の流れが該膜を通過する、膜と
を備え、
該インクフィルタアセンブリは、該第１の細長チャンバと該第２の細長チャンバとが、該インクノズルアセンブリを含むプリントヘッドハウジングの真上に位置し、該第１の細長チャンバおよび該第２の細長チャンバの長手方向軸が、該プリントヘッドハウジングの長手方向軸と、該インクノズルアセンブリに含まれる複数のノズルを備える行とに実質的に平行になるように、該プリントヘッドハウジングに直接取りつけられるように構成される、インクフィルタアセンブリ。
【請求項４】
前記膜は、前記インクの第１および第２の流れに存在する所定のサイズの粒子が前記第１および第２の細長チャンバの上部セクションから該第１および第２の細長チャンバの下部セクションへ通過することを防ぐように構成される、請求項３に記載のアセンブリ。
【請求項５】
前記膜は、所定のサイズの複数の開口部を含むポリイミドフィルムを備える、請求項４に記載のアセンブリ。
【請求項６】
前記膜は、所定のサイズの複数の開口部を含む電鋳された金属基板フィルムを備える、請求項４に記載のアセンブリ。
【請求項７】
前記膜は、所定のサイズの複数の開口部を含む化学エッチングされた金属基板フィルムを備える、請求項４に記載のアセンブリ。
【請求項８】
前記膜は、所定のサイズの複数の開口部を含むスクリーンメッシュフィルムを備える、請求項４に記載のアセンブリ。
【請求項９】
前記第１の膜は、前記インクの第１の流れに存在する所定のサイズの粒子が前記第１の細長チャンバの上部セクションから該第１の細長チャンバの下部セクションへ通過することを防ぐように構成され、前記第２の膜は、前記第２のインクの流れに存在する所定のサイズの粒子が前記第２の細長チャンバの上部セクションから該第２の細長チャンバの下部セクションへ通過することを防ぐように構成される、請求項１に記載のアセンブリ。
【請求項１０】
インクフィルタアセンブリであって、
該インクフィルタアセンブリは、
インクの第１の流れを第１の細長チャンバへ導くように構成された第１の流入チャネルと、
該第１の細長チャンバの上部セクションであって、該第１の流入チャネルから第１の流出チャネルへ延びている上部セクションと、
インクの第２の流れを該アセンブリの外へ導くように構成された第２の流出チャネルと、
第２の細長チャンバの上部セクションであって、該第２の流出チャネルから第２の流入チャネルへ延びている上部セクションと
を含む上部部分と、
該第１の流出チャネルであって、該インクの第１の流れを該第１の細長チャンバから受け取り、該インクの第１の流れをインクノズルアセンブリへ導くように構成された第１の流出チャネルと、
該第１の細長チャンバの下部セクションであって、該第１の流入チャネルから該第１の流出チャネルへ延びている下部セクションと、
該第２の流入チャネルであって、該インクの第２の流れをインクノズルアセンブリから受け取り、該インクの第２の流れを該第２の細長チャンバへ導くように構成された第２の流入チャネルと、
該第２の細長チャンバの下部セクションであって、該第２の流出チャネルから該第２の流入チャネルへ延びている下部セクションと
を含む下部部分と、
該アセンブリの該上部部分と該下部部分との間に配置された膜であって、該膜は、該第１の細長チャンバおよび該第２の細長チャンバの長手方向軸とほぼ平行に向けられ、該膜は、該第１および第２の細長チャンバの上部セクションと該下部セクションとの間において浸透可能分離帯を提供し、該膜は、該第１および第２の細長チャンバの長手方向軸にほぼ平行に向けられ、該インクの第１および第２の流れが該膜を通過する、膜と
を備え、
該インクフィルタアセンブリは、該第１の細長チャンバと該第２の細長チャンバとが、該インクノズルアセンブリを含むプリントヘッドハウジングの真上に位置し、該第１の細長チャンバおよび該第２の細長チャンバの長手方向軸が、該プリントヘッドハウジングの長手方向軸と、該インクノズルアセンブリに含まれる複数のノズルを備える行とに実質的に平行になるように、該プリントヘッドハウジングに直接取りつけられるように構成される、インクフィルタアセンブリ。
【請求項１１】
前記膜が、
前記第１の細長チャンバの前記上部セクションと前記下部セクションとを分離する第１のセグメントであって、該第１のセグメントは、前記インクの第１の流れに存在する所定のサイズの粒子が該第１の細長チャンバの該上部セクションから該第１の細長チャンバの該下部セクションへ通過することを防ぐように構成される第１のセグメントと、
前記第２の細長チャンバの前記上部セクションと前記下部セクションとを分離する第２のセグメントであって、該第２のセグメントは、前記インクの第２の流れに存在する第２の所定のサイズの粒子が該第２の細長チャンバの該上部セクションから該第２の細長チャンバの該下部セクションへ通過することを防ぐように構成される第２のセグメントと
を備える、請求項１０に記載のアセンブリ。
【請求項１２】
前記上部部分の前記第１の流入チャネルが、前記下部部分の前記第２の流入チャネルと整列し、前記膜は、該第１の流入チャネルと該第２の流入チャネルとの間において不浸透分離帯を提供し、
該上部部分の前記第２の流出チャネルが、該下部部分の前記第１の流出チャネルと整列し、該膜は、該第２の流出チャネルと該第１の流出チャネルとの間において不浸透分離帯を提供する、請求項１０に記載のアセンブリ。
【請求項１３】
インクフィルタアセンブリと、
プリントヘッドハウジングと
を備える、システムであって、
該インクフィルタアセンブリは、該プリントヘッドハウジングの上に取りつけられ、
該インクフィルタアセンブリは、
該インクフィルタアセンブリの端部にある流入チャネルであって、インクの流れを、細長チャンバに向かう方向に導くように構成された流入チャネルと、
該インクの流れを該細長チャンバからインクノズルアセンブリへ導くように構成された流出チャネルと、
該細長チャンバであって、該流入チャネルから該流出チャネルへ延びている細長チャンバと、
該細長チャンバの上部セクションと該細長チャンバの下部セクションとの間において浸透可能分離帯を提供する膜であって、該膜は、該細長チャンバの長手方向軸とほぼ平行な面内で配向され、該インクの流れが該膜を通過する、膜と
を備え、
該プリントヘッドハウジングは、
該インクフィルタアセンブリの該流出チャネルと流体連絡する少なくとも１つのハウジングチャネルと、
該インクノズルアセンブリを含むプリントヘッドを受け取り、取りつけるように構成された細長開口部であって、該ハウジングチャネルを流体連絡することにより、取りつけられたときに該インクフィルタアセンブリから該インクノズルアセンブリへの流体経路を提供する細長開口部と
を備え、
該インクフィルタアセンブリの中央長手方向軸は、該インクノズルアセンブリを含む該プリントヘッドが該プリントヘッドハウジングに取りつけられたときに、該インクフィルタアセンブリが該プリントヘッドの真上に位置し、該インクノズルアセンブリの中央長手方向軸が該インクフィルタアセンブリの中央長手方向軸と実質的に整列するように、該プリントヘッドハウジングの該細長開口部の中央長手方向軸と実質的に整列する、システム。
【請求項１４】
前記インクフィルタアセンブリは、
該インクフィルタアセンブリの第２の対向端部に配置された第２の流入チャネルであって、インクの第２の流れを、第２の細長チャンバに向かう第２の反対方向に導くように構成された第２の流入チャネルと、
該インクの第２の流れを該第２の細長チャンバから前記インクノズルアセンブリへ導くように構成された第２の流出チャネルと
該第２の細長チャンバであって、該第２の流入チャネルから該第２の流出チャネルへ延びている第２の細長チャンバと、
該第２の細長チャンバの上部セクションと該第２の細長チャンバの下部セクションとの間において浸透可能分離帯を提供する第２の膜であって、該第２の膜は、該第２の細長チャンバの長手方向軸とほぼ平行な面内で配向され、該インクの第２の流れが該第２の膜を通過する、第２の膜と
をさらに備える、請求項１３に記載のシステム。
【請求項１５】
単一の膜が前記膜および前記第２の膜を備える、請求項１４に記載のシステム。
【請求項１６】
前記膜は、前記インクの流れに存在する所定のサイズの粒子が前記細長チャンバの上部セクションから該細長チャンバの下部セクションへ通過することを防ぐように構成される、請求項１３に記載のシステム。
【請求項１７】
前記膜は、所定のサイズの複数の開口部を含むポリイミドフィルム、所定のサイズの複数の開口部を含む電鋳された金属基板フィルム、所定のサイズの複数の開口部を含む化学エッチングされた金属基板フィルム、または、所定のサイズの複数の開口部を含むスクリーンメッシュフィルムのうちの少なくとも１つを含む、請求項１６に記載のシステム。
【請求項１８】
前記インクフィルタアセンブリは、
該インクフィルタアセンブリの第２の対向端部に配置された第２の流入チャネルであって、インクの第２の流れを前記インクのノズルアセンブリから受け取り、該インクの第２の流れを第２の細長チャンバへ導くように構成された第２の流入チャネルと、
該インクの第２の流れを該インクフィルタアセンブリの外へ導くように構成された第２の流出チャネルと、
該第２の細長チャンバであって、該第２の流入チャネルから該第２の流出チャネルへ延びている第２の細長チャンバと、
該第２の細長チャンバの上部セクションと該第２の細長チャンバの下部セクションとの間において浸透可能分離帯を提供する第２の膜であって、該第２の膜は、該第２の細長チャンバの長手方向軸とほぼ平行な面内で配向され、該インクの第２の流れが該第２の膜を通過する、第２の膜と
をさらに備える、請求項１３に記載のシステム。